(57)【要約】【課題】ブラシ毛に絡み付く化粧材の斑を防止できると共に、まつげや眉毛に化粧材を容易に塗ることができる化粧用塗付具及びその化粧用塗付具の製造方法を提供する。【解決手段】本発明は、一側面に多数のブラシ毛７を立設したブラシ毛台５を柄３の先端部に備える化粧用塗布具１において、ブラシ毛台５は柄３の軸線方向Ｆに沿ってブラシ毛立設面９を凹状の湾曲面としてあり且つブラシ毛５の長さを均一にすることにより、多数のブラシ毛７の先端が全体として柄の軸線方向Ｆに沿って凹状の湾曲を成しており、湾曲したまつげや眉毛等の形状に即した形状としてある。【選択図】図１
2012120566.tif 000002
【特許請求の範囲】
【請求項１】
一側面に多数のブラシ毛を立設したブラシ毛台を柄の先端部に備える化粧用塗布具において、ブラシ毛台は柄の軸線方向に沿ってブラシ毛立設面を凹状の湾曲面としてあり且つブラシ毛の長さを均一にすることにより、多数のブラシ毛の先端が全体として柄の軸線方向に沿って凹状の湾曲を成していることを特徴とする化粧用塗布具。
【請求項２】
柄の軸線方向で互いに隣り合うブラシ毛が柄の軸線方向で互いにずれた位置にあることを特徴とする請求項１に記載の化粧用塗布具。
【請求項３】
柄の軸線方向と交差するブラシ毛の列は、３本の列と４本の列とを交互に配置してあることを特徴とする請求項２に記載の化粧用塗布具。
【請求項４】
請求項１に記載の化粧用塗布具の製造方法であって、ブラシ毛台用金型とブラシ毛台用金型と型組みする多数のブラシ毛用金型とを備え、ブラシ毛台用金型には柄の軸線方向に湾曲した溝が形成してあり、各ブラシ毛用金型には柄の軸線方向と交差する方向の面に複数のブラシ毛溝が形成されており、各ブラシ毛用金型を柄の軸線方向に沿って隣り合せに配置し且つブラシ毛溝をブラシ毛台用金型の溝に連通配置して型組し、型組みしたブラシ毛台用金型及びブラシ毛用金型の溝に樹脂材を注入することを特徴とする化粧用塗布具の製造方法。
【請求項５】
ブラシ毛用金型は、先端から同じ長さのブラシ毛溝を形成した本体と、本体の基端側に形成して支持具に当接する当接部とを備え、各ブラシ毛用金型の本体は溝方向の寸法を異ならせて重ねたブラシ毛用金型の先端が全体として湾曲状にしてあり、支持具に各ブラシ毛用金型の当接部を当接して当接部を直線状に配置していることを特徴とする請求項４に記載の化粧用塗布具の製造方法。
【発明の詳細な説明】
【技術分野】
【０００１】
本発明は、化粧用塗布具及び化粧用塗布具の製造方法に関する。
【背景技術】
【０００２】
特許文献１には、平面状に形成されたブラシ毛台のブラシ毛立設面に多数のブラシ毛を立設した化粧用塗布具が開示されている。更に、特許文献１の化粧用塗布具では、柄の軸線方向における一端側ほどブラシ毛の長さを長くしたものが開示されている。
【先行技術文献】
【特許文献】
【０００３】
【特許文献１】特開２００６−３４４９７号公報
【発明の概要】
【発明が解決しようとする課題】
【０００４】
しかし、特許文献１に記載の従来技術は、柄の軸線方向においてブラシ毛の長さを変えているので、ブラシ毛に絡み付く化粧材に斑が生じるという問題がある。
更に、まつげや眉毛等は全体として湾曲しているが、特許文献１の技術はまつげや眉毛の長さに対応して一端側ほどブラシ毛の長さを変えているだけであるから、全体として湾曲しているまつげや眉毛等に対して、化粧材を塗り難いという問題がある。
【０００５】
本発明は、ブラシ毛に絡み付く化粧材の斑を防止できると共に、まつげや眉毛に化粧材を容易に塗ることができる化粧用塗付具及びその化粧用塗付具の製造方法を得ることを目的とする。
【課題を解決するための手段】
【０００６】
前記課題を解決するために、請求項１に記載された発明は、一側面に多数のブラシ毛を立設したブラシ毛台を柄の先端部に備える化粧用塗布具において、ブラシ毛台は柄の軸線方向に沿ってブラシ毛立設面を凹状の湾曲面としてあり且つブラシ毛の長さを均一にすることにより、多数のブラシ毛の先端が全体として柄の軸線方向に沿って凹状の湾曲を成していることを特徴とする化粧用塗布具である。
【０００７】
請求項２に記載された発明は、請求項１に記載の発明において、柄の軸線方向で互いに隣り合うブラシ毛が柄の軸線方向で互いにずれた位置にあることを特徴とする。
【０００８】
請求項３に記載された発明は、請求項２に記載の発明において、柄の軸線方向と交差するブラシ毛の列は、３本の列と４本の列とを交互に配置してあることを特徴とする。
【０００９】
請求項４に記載された発明は、請求項１に記載の化粧用塗布具の製造方法であって、ブラシ毛台用金型とブラシ毛台用金型と型組みする多数のブラシ毛用金型とを備え、ブラシ毛台用金型には柄の軸線方向に湾曲した溝が形成してあり、各ブラシ毛用金型には柄の軸線方向と交差する方向の面に複数のブラシ毛溝が形成されており、各ブラシ毛用金型を柄の軸線方向に沿って隣り合せに配置し且つブラシ毛溝をブラシ毛台用金型の溝に連通配置して型組し、型組みしたブラシ毛台用金型及びブラシ毛用金型の溝に樹脂材を注入することを特徴とする。
【００１０】
請求項５に記載された発明は、請求項４に記載の発明において、ブラシ毛用金型は、先端から同じ長さのブラシ毛溝を形成した本体と、本体の基端側に形成して支持具に当接する当接部とを備え、各ブラシ毛用金型の本体は溝方向の寸法を異ならせて重ねたブラシ毛用金型の先端が全体として湾曲状にしてあり、支持具に各ブラシ毛用金型の当接部を当接して当接部を直線状に配置していることを特徴とする。
【発明の効果】
【００１１】
請求項１に記載の発明によれば、ブラシ毛群（多数のブラシ毛）の先端が全体として柄の軸線方向に沿って凹み状の湾曲を成しており、湾曲したまつげや眉毛等の形状に即した形状としているので、化粧材を塗り易い。
【００１２】
ブラシ毛群を全体として湾曲形状としてもブラシ毛の長さは均一であるから、ブラシ毛群には化粧材を均一に絡めることができ、化粧材の絡み斑を防止できる。
ブラシ毛台及びブラシ毛は並行な湾曲形状を成しているので、意匠性が良い。
【００１３】
請求項２に記載された発明によれば、請求項１に記載の発明と同様の効果を奏するとともに、柄の軸線方向において隣り合うブラシ毛がずれた位置にあるので、ブラシ毛を柄の軸線方向に沿って千鳥状に配置することができ、化粧材がマスカラ等の液体である場合に化粧材が柄の軸線方向に沿って蛇行してブラシ毛の間に入り込むことで化粧材の絡みが良い。
【００１４】
請求項３に記載された発明によれば、請求項２に記載された発明と同様の効果が得られるとともに、従来の２本の列と３本の列に比較して、ブラシ毛の密度が高くなり、化粧材の絡みを更に増加できる。
【００１５】
また、柄の軸線方向と交差するブラシ毛の列を３本以上としているので、毛が細そく密集度が高いまつげや眉毛に対しても掻き分けし易い。
尚、ブラシ毛の列を４本よりも多くすると、ブラシ毛の密度が高くなり過ぎて掻き分けし難くなると共に製造時の型抜きがし難くなる。
【００１６】
請求項４に記載された発明によれば、請求項１記載の化粧用塗布具が容易に製造できる。特に、複数のブラシ毛用金型を柄の軸線方向に並べて配置する構成であるから、各ブラシ毛用型の交換や清掃等のメンテナンスを個別にできる。
【００１７】
また、ブラシ毛用金型をブラシ毛溝の異なる形状や本数のものと交換が容易であるから、設計の自由度が高い。
【００１８】
請求項５に記載された発明によれば、請求項４項に記載された効果と同様の効果を奏すると共に、ブラシ毛用金型の型組みは、支持具に各ブラシ毛用金型の当接部を当接させて順次並べるだけであるから、重ねたブラシ毛用金型の先端が全体として湾曲状を成していながら、支持具に対してはブラシ毛用金型の当接部を直線状に配置しているので型組みが容易にできる。
【図面の簡単な説明】
【００１９】
【図１】本発明の実施の形態に係る化粧用塗布具の図であり、（ａ）は正面図、（ｂ）は平面図である。
【図２】図１（ａ）に示すＡ部の拡大図である。
【図３】本実施の形態に係る化粧用塗布具の製造方法における金型の型組みの工程を示す斜視図である。
【図４】ブラシ毛用金型の正面図である。
【図５】ブラシ毛用金型を型組みした状態の先端側を示す斜視図である。
【図６】ブラシ毛用金型の先端部を示す平面図であり、（ａ）はブラシ毛溝を抜き出して示す拡大図であり、（ｂ）はブラシ毛溝を列状に３本形成したブラシ毛用金型であり（ｃ）はブラシ毛溝を列状に４本形成したブラシ毛用金型である。
【図７】ブラシ毛用金型とブラシ毛台用金型を型組みした断面図である。
【発明を実施するための形態】
【００２０】
以下に、添付図面を参照して、本発明の実施の形態を詳細に説明する。本実施の形態に係る化粧用塗布具１はマスカラブラシとして用いられるものであり、図１に示すように、柄３と、柄３の先端に設けたブラシ毛台５と、ブラシ毛台５のブラシ毛立設面９に立設されたブラシ毛７とから構成されている。本実施の形態では、柄、ブラシ毛台５及びブラシ毛７は樹脂製であり、金型により一体成型されたものである。
【００２１】
ブラシ毛台５は柄３の軸線方向Ｆに沿って長く形成してあり且つ、軸線方向Ｆに沿ってブラシ毛立設面９を凹状の湾曲面としてある。ブラシ毛台５の軸線方向Ｆの寸法Ｊは、約２７．４ｍｍである。
【００２２】
ブラシ毛立設面９の湾曲は、本実施の形態では、半径Ｒの円弧状であり、半径Ｒは、約２７．５ｍｍである。即ち、本実施の形態では、ブラシ毛立設面９の半径Ｒとブラシ毛台５の軸線方向の寸法Ｊとを略同じにしている。ブラシ毛立設面９の湾曲の度合いは、特に制限されるものでないが、一般的なまつげや眉毛の湾曲に近接させている。尚、ブラシ毛立設面９の巾Ｗは約３．２ｍｍである。
【００２３】
ブラシ毛７は、図１（ｂ）に示すように、平面視略三角形形状を成しており、先端側を次第に細く形成してある。各ブラシ毛７の長さＫは均一にしてあり、約３．７ｍｍである。
ブラシ毛７は、柄３の軸線方向Ｆに並んでいると共に軸線方向Ｆに垂直な面にも列を成しており、軸線方向Ｆに垂直な面にはブラシ毛７が３本と、ブラシ毛７が４本の列が交互に配置されている。
【００２４】
また、ブラシ毛７は、柄３の軸線方向Ｆで互いに隣り合うブラシ毛７が柄の軸線方向Ｆで互いにずれた位置にあり、全体として千鳥状に配置されている。
柄３の軸線方向Ｆと交差する方向に並んだ夫々の列のブラシ毛５は、三角形状の一辺を同じ直線上に配置している。
【００２５】
図２に示すように、ブラシ毛立設面９では、細かい階段状の面１１が形成してあり、各階段状の面１１から垂直にブラシ毛７が立設されている。
図１（ａ）に示すように、多数のブラシ毛７が構成するブラシ毛群は、その先端が全体として柄の軸線方向Ｆに沿った凹状の湾曲を成し且つブラシ毛立設面９と平行な面を形成している。
【００２６】
図６のブラシ毛用金型１７から明らかなように、柄の軸線方向Ｆと直交する方向で隣り合うブラシ毛７の間隔Ｓは、０．４１ｍｍであり、ブラシ毛７の中心間の間隔Ｐは０．７ｍｍである。
【００２７】
ブラシ毛７は、平面視略正三角形状を成し、基端の三角形の一辺Ｅ１が０．３ｍｍであり、先端の三角形の一辺Ｅ２が０．２ｍｍである。
また、図２に示すように、柄の軸線方向Ｆにおける隣り合うブラシ毛間の間隔Ｍは、０．６ｍｍである。尚、ブラシ毛用金型１７の巾Ｎは０．６ｍｍである。
【００２８】
次に本実施の形態に係る化粧用塗布具１を成形するための金型について説明する。図３に示すように、化粧用塗布具１を成形する金型は、ブラシ毛台用金型１５と、多数のブラシ毛用金型１７と、支持具１９とから構成されている。
図３（ｄ）に示すように、ブラシ毛台用金型１５には柄の軸線方向Ｆに沿って湾曲したブラシ毛台溝２０が形成してある。
【００２９】
図４及び図５に示すように、各ブラシ毛用金型１７には、柄の軸線方向Ｆと直交する方向の片面１８に複数のブラシ毛溝２１が形成されており、図３（ａ）及び図５に示すように、各ブラシ毛用金型１７は柄の軸線方向Ｆに沿って隣り合せに配置して型組している。
【００３０】
図３（ａ）及び図４に示すように、ブラシ毛用金型１７は、ブラシ毛溝２１を形成した本体２３と、本体２３の基端側に形成した当接部２５とを備え、図４に示すように本体２３と当接部２５とで正面視略Ｔ字形状を成している。尚、ブラシ毛用金型１７の当接部２５は、後述する支持具１９の被当接部３１に当接されるようになっている。
【００３１】
各ブラシ毛用金型１７は、図３（ａ）に示すように、本体２３に形成されている溝２１（図４参照）方向の寸法Ｙを異ならせており、各ブラシ毛用金型１７は、本体２３の先端１７ａが支持具１９の型面２７の湾曲面に沿うように当接部２５から先端１７ａまでの長さＹが異なる寸法に設定されている。但し、各ブラシ毛用金型１７の本体２３は当接部２５から先端１７ａまでの寸法Ｙを異ならせてあるが、各ブラシ毛溝２１の長さ（図４参照）Ｋは、同じ長さにしてある。
【００３２】
また、各ブラシ毛用金型１７において、当接部２５の形状と寸法は略同じである。
支持具１９は、図３（ｂ）に示すように、ブラシ毛台用金型１５のブラシ毛台溝２０側面が当接する湾曲状の型面２７と、ブラシ毛用金型１７の本体２３が挿入される挿入部２９と、ブラシ毛用金型１７の当接部が当接される直線状の被当接部３１とが形成されている。
【００３３】
次に、型組みについて説明する。図３（ａ）及び図５に示すように、各ブラシ毛用金型１７をそのブラシ毛用溝２１が形成された面１８を同じ方向に向けて重ねて配置し、ブラシ毛用金型１７の先端１７ａを図３（ｂ）に示す支持具１９の被当接部３１側から挿入部２９に挿入し、図３（ｃ）に示すように支持具１９に必要な枚数のブラシ毛用金型１７を配置する。尚、支持具１９には、ブラシ毛用金型１７を多数枚重ねて挿入しても良いし、１枚ずつ挿入しても良い。
【００３４】
そして、図３（ｅ）に示すように、支持具１９の型面２７にブラシ毛台用金型１５のブラシ毛台溝２０側の型面を当接して型組みする。
型組後、支持具１９に対して、ブラシ毛台用金型１５とブラシ毛用金型１７を圧着して、図７に示すようにブラシ毛台用溝２０とブラシ毛用溝２１を連通し、これらの各溝２０、２１に溶融した樹脂材を注入する。
【００３５】
樹脂材注入後、樹脂材を硬化させて支持具１９からブラシ毛台用金型１５を分離して、化粧用塗布具１を得る。
柄３の製造は、本実施の形態では、ブラシ毛台用金型１５に隣接して柄用金型を配置し、ブラシ毛台５と同時に一体に成型するが、ブラシ毛台５とは別に製造して、ブラシ毛台５と柄３とを接続しても良い。
【００３６】
本実施の形態にかかる化粧用塗布具１によれば、ブラシ毛７群の先端が全体として柄３の軸線方向Ｆに沿って凹み状の湾曲を成しており、湾曲したまつげや眉毛等の形状に即しているので、塗布操作がし易い。
【００３７】
ブラシ毛７の長さは均一であるから、ブラシ毛７に化粧材を均一に絡めることができ、絡みの斑を防止できる。
ブラシ毛台５及びブラシ毛７群の先端は並行な湾曲形状を成しているので、意匠性が良い。
【００３８】
柄３の軸線方向Ｆにおいて隣り合うブラシ毛７がずれているので、ブラシ毛７を柄３の軸線方向Ｆに沿って千鳥状に配置することができ、液体状の化粧材が柄３の軸線方向に沿って蛇行してブラシ毛７の間に入り込むことで化粧材の絡みが良い。
【００３９】
柄の軸線方向と直交する列にはブラシ毛７が３本と４本の列とを交互に配置しているので、同じ面積で２本の列と３本の列を配置する場合に比較して、ブラシ毛７の密度が高くなり、化粧材の絡みを更に増加できる。
また、柄３の軸線方向Ｆと交差する方向のブラシ毛７の列を３本以上としているので、毛が細そく密集度が高いまつげや眉毛に対しても掻き分けし易い。
【００４０】
化粧用塗布具１を製造する金型は、複数のブラシ毛用金型１７を柄３の軸線方向Ｆに並べて配置する構成であるから、各ブラシ毛用型１７の交換や清掃等のメンテナンスをブラシ毛金型１７毎に個別にできる。
また、ブラシ毛用金型１７をブラシ毛溝２１の異なる形状や本数のものと交換が容易であるから、設計の自由度が高い。
【００４１】
ブラシ毛用金型１７の型組みは、支持具１９に直線状を成す被当接部３１に各ブラシ毛用金型１７の当接部２５を当接させて順次並べるだけであるから、ブラシ毛用金型１７の先端１７ａを湾曲した形状に配置するものであっても、型組みが容易にできる。
【００４２】
本発明は上述した実施の形態に限定されず、その要旨を逸脱しない範囲で種々の変形が可能である。
ブラシ毛用金型９のブラシ毛溝２１の断面形状は、平面視略三角形状に限らず、平面視半円形状や、四角形状であっても良く、形状は限定されない。
【００４３】
上述の実施の形態では、ブラシ毛溝２１をブラシ毛用金型１７の片方の面１８に設けたが、隣りのブラシ毛用金型１７の対向面にもブラシ毛用溝２１を形成しても良い。例えば、互いに対向するブラシ毛用溝２１を平面視略三角形状とし、２つのブラシ毛用金型９を隣り合わせたときに、平面視ひし形形状になるようにしても良い。
【００４４】
ブラシ毛用金型１７のブラシ毛溝２１は、柄３の軸線方向Ｆに沿って略一直線上に形成しても良い。
【００４５】
化粧用塗付具１はマスカラブラシに用いることに限定されず、アイブローブラシとして用いても良い。
【符号の説明】
【００４６】
１    化粧用塗布具
３    柄
５    ブラシ毛台
９    ブラシ毛立設面
１５  ブラシ毛台用金型
１７  ブラシ毛用金型
１９  支持具
２０  ブラシ毛台溝
２１  ブラシ毛用溝
２５  当接部
３１  被当接部
【図１】
2012120566.tif 000003
【図２】
2012120566.tif 000004
【図３】
2012120566.tif 000005
【図４】
2012120566.tif 000006
【図５】
2012120566.tif 000007
【図６】
2012120566.tif 000008
【図７】
2012120566.tif 000009